(57)【特許請求の範囲】
【請求項１】
所要幅の平板でもって支持杭の外形形状に沿って筒状に形成され該支持杭に装着される台本体と、
該筒状台本体の外周面における周方向の両端部から当該筒状台本体の半径方向外側に対向して延設されるとともに前記支持杭に台本体を固定するためのボルト挿通孔が穿設されてなる締結部と、
前記締結部から前記筒状台本体の半径方向外側に向けて漸次離隔して広がるように対向して延設され、互いの上部にジャッキ用の板を載置する支持部とからなること、
を特徴とする仮受け用支持台。
【請求項２】
筒状の台本体は、その軸心に沿って２分割され、この２分割の台本体に締結部と支持部とが設けられ、当該２分割体の台本体を支持杭に対向配置で取付け、前記締結部においてボルトで固定されること、
を特徴とする請求項１に記載の仮受け用支持台。
【発明の詳細な説明】
【０００１】
【発明の属する技術分野】
本発明は、建物の沈下を防止したり、沈下した建物を修正したりする支持杭に取り付けられ、これを反力をとって建物の重量を仮受けするための仮受け用支持台に関する。
【０００２】
【従来の技術】
建物の基礎の下において、当該建物の沈下等を防止すべく地盤に貫入されている支持杭に対して、その支持杭の頭部を壊して再補強したり、地盤沈下による修正工事をしたり、支持杭の支持力を検査したり、再載荷したりする場合に、建物の重量をジャッキと仮受け台とを介して仮受けする支持台を、前記支持杭の周囲に取り付ける必要がある。
【０００３】
このような場合に、従来は、図６に示すように、支持杭１５が鉄筋コンクリート製（ＲＣ製）である場合、該支持杭１５において仮受け用支持台１６を取り付けようとする外周部分に、所要巾の鉄板１７を巻装して溶接手段等で、更に必要なときは接着剤を併用して固定し、この支持杭１５に固着した鉄板１７に、水平受け面１８ａを有する金属製のブラケット１８を、溶接手段によって所望数固着する。
【０００４】
そして、前記ブラケット１８の水平受け面１８ａと建物の基礎１９の下面との間にジャッキ２０と仮受け台２１とをセットし、支持台１６に反力をとって、これらで建物の重量を受けた後、支持杭の頭部を破壊して、新しい頭部を設けるようにしていた。
【０００５】
また、支持杭１５が鋼管杭である場合には、図７に示すように、当該鋼管杭１５の外周面に直接、ブラケット１８を所要数溶接手段で固着して仮受け用の支持台１６を形成する。
【０００６】
そして、図８に示すように、前記ブラケット１８の水平受け面１８ａと建物の基礎１９の下面との間にジャッキ２０と仮受け台２１とをセットし、仮受け用の支持台１６に反力をとって、これらで建物の重量を受けた後、支持杭１５の頭部を破壊して、新しい頭部を設けるようにしていた。
【０００７】
【発明が解決しようとする課題】
しかしながら、前記ブラケット１８を鉄板等に固着するため、溶接手段を使用しているが、その作業空間２２は必要最小限にして地盤２３を掘削した狭いスペースであることから、溶接作業による煙や強い火花が発生する等して作業環境が悪くなり、また、地下水が溜まることもあって漏電にも注意しなければならない。
【０００８】
更に、狭いスペースにおいて無理な姿勢で溶接作業を行うので、溶接の技量によってブラケット１８の固着強度が左右されやすくなって安定せず、溶接される側の鋼管杭１５においても歪んだりすることがある等の問題点がある。
【０００９】
このように、支持杭に取り付ける仮受け用の支持台には、支持杭への取付方法における作業環境の改善や作業者の健康管理において解決すべき課題がある。
【００１０】
【課題を解決するための手段】
本発明に係る仮受け用支持台の上記課題を解決するための要旨は、所要幅の平板でもって支持杭の外形形状に沿って筒状に形成され該支持杭に装着される台本体と、該筒状台本体の外周面における周方向の両端部から当該筒状台本体の半径方向外側に対向して延設されるとともに前記支持杭に台本体を固定するためのボルト挿通孔が穿設されてなる締結部と、前記締結部から前記筒状台本体の半径方向外側に向けて漸次離隔して広がるように対向して延設され、互いの上部にジャッキ用の板を載置する支持部とからなることである。
【００１１】
前記筒状の台本体は、その軸心に沿って２分割され、この２分割の台本体に締結部と支持部とが設けられ、当該２分割体の台本体を支持杭に対向配置で取付け、前記締結部においてボルトで固定されることを含むものである。
【００１２】
本発明に係る仮受け用支持台によれば、再補強等しようとする支持杭に、溶接手段によらないでボルト・ナットで容易に当該支持杭に仮受け用支持台を装着することが出来るようになり、狭い作業空間においても容易で迅速に作業できて工期の短縮となる。
【００１３】
【発明の実施の形態】
次に、本発明に係る仮受け用支持台について図面を参照して説明する。なお、発明に理解容易のため、従来例に対応する部分には従来例と同一の符号を付けて説明する。
【００１４】
本発明の第１実施例は、図１に示すように、例えば、鋼管製で四角形状の支持杭１５である場合に、その頭部を切断して再補強しようとするには、予め形成した仮受け用支持台１を建物の基礎１９下で地盤に貫入された前記支持杭１５の頭部に装着する。
【００１５】
この仮受け用支持台１を形成するには、図２に示すように、所要巾の金属製の平板に、予め後述の締結部１ｄとする部分にボルト挿通用の貫通孔１ｃを穿設し、該平板をコ字状に屈曲させて支持杭１５の外形形状の半割形状に略合わせた台本体１ａとし、該台本体１ａの、筒状にした状態での外周面における、周方向における両端部から該周方向に直交させて（当該筒状台本体１ａの半径方向外側に）各々締結部１ｄを延設する。
【００１６】
更に、前記両締結部１ｄからそれぞれ、当該半割の台本体１ａを対向配置にした場合には互いに漸次離隔して台本体１ａを平面視したときに「ハ」の字になるように延ばして、ジャッキを片方の側端部１ｅで支持する支持部１ｂとする。該支持部１ｂから更に離隔し広がるように屈曲させて延設し、支持補強部１ｆとする。
【００１７】
このようにした前記台本体１ａを、図２に示すように、コ字状に凹んだ側を向き合わせて対向配置にすることで、一つの仮受け用支持台１が形成されるものである。
【００１８】
なお、対向配置にされた締結部１ｄ，１ｄの対向面の間には、支持杭１５に台本体１ａを挟持させた場合に若干の隙間ができるように、台本体１ａが形成されるものであり、これにより、ボルトでその隙間が無くなるように強く締結した後は台本体１ａの内側面と支持杭１５との当接面で強い摩擦力が発揮されるものである。
【００１９】
この仮受け用支持台1を支持杭１５の外周面に挟持させ、締結部１ｄの各貫通孔１ｃに一方側からボルトを挿通させそれぞれナットで締結することで、支持杭１５にジャッキ用の支持台が形成されるものである。
【００２０】
本発明の第２実施例は、図３に示すように、１枚の金属製の平板を屈曲させて四角形状の支持杭１５に略合わせた台本体１ａとして形成し、第１実施例と同様に締結部１ｄ，支持部１ｂ及び支持補強部１ｆを形成して、仮受け用支持台１とするものである。
【００２１】
この第２実施例に係る仮受け用支持台１によれば、支持杭１５の片側においてジャッキを支持することが出来るものである。
【００２２】
本発明の第３実施例は、図４に示すように、支持杭１５が円筒状の鋼管杭であれば、当該支持杭の外形形状に略合わせて台本体１ａを半円形状にし、該台本体１ａの、筒状にした状態での外周面における、周方向の両端部から締結部１ｄ，支持部１ｂ及び支持補強部１ｆを形成し、これらを対向配置にして１対で仮受け用支持台１とするものである
【００２３】
このような第３実施例に係る仮受け用支持台１によれば、円筒状の鋼管杭若しくはコンクリート杭に対して、ジャッキ用の支持台を杭の両側に形成することができるものである。
【００２４】
本発明の第４実施例は、図５に示すように、円筒状の支持杭１５に対して、台本体１ａの形状を２分割した半円形状とせずに、支持杭１５の円筒形状に略合わせて、１枚の金属製の平板を加工して円筒形状とするもので、その周方向の両端部から締結部１ｄ，支持部１ｂ及び支持補強部１ｆを形成し、仮受け用支持台１とするものである。
【００２５】
この第４実施例に係る仮受け用支持台１によれば、円筒状の支持杭１５の片側にジャッキ用の支持台が形成されるものである。
【００２６】
そして、前記第１実施例乃至第４実施例における各仮受け用支持台１を支持杭１５に挟装しての使用方法を説明する。図１に示すように、例えば、前記第１実施例に係る仮受け用支持台１を代表させて説明すると、まず、基礎１９下を掘削して作業空間２２を形成した後に、補修対象・再補強対象の支持杭１５の頭部１５ａを清掃し、その頭部１５ａに前記仮受け用支持台１を所要数のボルト２・ナットによりレンチで強く締結することにより挟装させる。場合によっては締結作業を油圧ジャッキで行う。
【００２７】
そして、支持杭１５の両側に広がった仮受け用支持台１の各々の支持部１ｂと支持補強部１ｆとの側端部１ｅの上に、水平にして敷鉄板３，３を載置する。
【００２８】
前記敷鉄板３，３の上に、その一方側にジャッキ２０を載置し、他方側に仮受け台２１を載置する。
【００２９】
そして、前記ジャッキ２０により基礎１９を仮受け用支持台１に反力をとって建物の重量を受ける。仮受け台２１においても調節板２１ａによりその差し込み量を調節して、支持杭１５の両側で均等にジャッキ２０と仮受け台２１とで建物の重量を受けるようにする。
【００３０】
その後、支持杭１５の頭部１５ａを破壊したり斫ったりして除去し、その後に新しい支持杭を入れて再補強等するものである。
【００３１】
このように、本発明に係る仮受け用支持台１により、狭い作業空間２２内において、仮受け用支持台を設けるために溶接手段を用いて作業することがなくなって、支持杭に仮受け用支持台を取り付ける作業が容易となって工期が短縮され、溶接に伴う火花や煙によって健康を害することがなく、また、溶接の技量によって接合強度がばらつくようなこともなくなって、質的に安定した補修作業を行うことが出来るものである。
【００３２】
【発明の効果】
以上説明したように、本発明の仮受け用支持台は、所要幅の平板でもって支持杭の外形形状に沿って筒状に形成され該支持杭に装着される台本体と、該筒状台本体の外周面における周方向の両端部から当該筒状台本体の半径方向外側に対向して延設されるとともに前記支持杭に台本体を固定するためのボルト挿通孔が穿設されてなる締結部と、前記締結部から前記筒状台本体の半径方向外側に向けて漸次離隔して広がるように対向して延設され、互いの上部にジャッキ用の板を載置する支持部とからなるので、建物の下の狭いスペース内において支持杭に仮受け用支持台を設けるのに溶接手段が不要となり、作業者の溶接の技量によって接合強度がばらつく不都合がなくなり、また、作業環境も改善されて質的に安定した補修作業を行うことが出来るという優れた効果を奏するものである。
【００３３】
更に、支持杭に仮受け用支持台を取り付ける作業が、作業の困難な溶接作業に代わってボルト等の締結作業となって、容易な作業となり工期が短縮されるという優れた効果を奏するものである。
【図面の簡単な説明】
【図１】本発明に係る仮受け用支持台の使用状態の説明図である。
【図２】本発明の第１実施例に係る仮受け用支持台の斜視図である。
【図３】本発明の第２実施例に係る仮受け用支持台の斜視図である。
【図４】本発明の第３実施例に係る仮受け用支持台を円筒状の支持杭に挟装させた状態の斜視図である。
【図５】本発明の第４実施例に係る仮受け用支持台の斜視図である。
【図６】従来例に係る仮受け用支持台を、コンクリート製の支持杭に取り付けた使用状態を示す説明図である。
【図７】従来例に係る仮受け用支持台を、鋼管杭に取り付けた使用状態を示す説明図である。
【図８】従来例に係る仮受け用支持台の使用状態の説明図である。
【符号の説明】
１  仮受け用支持台、１ａ  台本体、１ｂ  支持部、１ｃ  貫通孔、
１ｄ  締結部、１ｅ  側端部、１ｆ  支持補強部、２  ボルト、
３  敷鉄板、１５  支持杭、２０  ジャッキ、２１  仮受け台。
【図１】
0003845491.tif 000002
【図２】
0003845491.tif 000003
【図３】
0003845491.tif 000004
【図４】
0003845491.tif 000005
【図５】
0003845491.tif 000006
【図６】
0003845491.tif 000007
【図７】
0003845491.tif 000008
【図８】
0003845491.tif 000009